(57)【要約】      （修正有）【課題】映像、音声の再生を再開する際に、前回の再生していたときの音量や明るさで再生が再開されてしまう問題を回避する。【解決手段】リモコン装置１００に再生再開時に設定する音量や明るさなどの設定値を設定しておく機能と、リモコン装置１００からAV再生装置２００を再開させる際の制御コマンドに設定値情報も付与して送る拡張電源ONコマンド送信機能と、AV再生装置２００は、渡された設定値情報で指定された設定値に反映させて再生を再開する機能を具備させている。【選択図】図１
2011061564.tif 000002
【特許請求の範囲】
【請求項１】
リモコン装置と、該リモコン装置により遠隔制御するＡＶ機器からなる遠隔制御システムであって、
前記リモコン装置は、
前記ＡＶ機器をスタンバイ状態から起動状態にするとともに、前記ＡＶ機器から出力されるチャンネル、音量、明るさのうちの少なくとも２つについての複数の設定値を変更する入力手段と
前記入力手段で変更するための設定値を表示する表示手段と、
前記入力手段で変更され、前記表示手段で表示される複数の設定値を保持する保持手段と、
前記保持手段で保持された複数の設定値および前記入力手段で入力された起動指示をコマンドとして送信する送信手段とを備え、
前記ＡＶ機器は、
前記送信手段でコマンドとして送信された複数の設定値および起動指示を受信する受信手段と、
前記受信手段で受信される複数の設定値を保持する保持手段とを備え、
前記起動指示により、前記ＡＶ機器が起動する前に、複数の設定値が受信、保持され、前記ＡＶ機器が起動した後、保持された複数の設定値に基づいて、チャンネル、音量、明るさのうちの少なくとも２つが出力されることを特徴とする遠隔制御システム。
【請求項２】
前記送信手段は、複数の設定値と起動指示が一体となったコマンドを送信することを特徴とする請求項１に記載の遠隔制御システム。
【請求項３】
前記送信手段は、起動指示をコマンドとして送信した後、複数の設定値をコマンドとして送信することを特徴とする請求項１に記載の遠隔制御システム。
【請求項４】
前記送信手段は、複数の設定値をコマンドとして送信した後、起動指示をコマンドとして送信することを特徴とする請求項１に記載の遠隔制御システム。
【請求項５】
リモコン装置と、該リモコン装置により遠隔制御するＡＶ機器からなる遠隔制御システムにおけるリモコン装置であって、
前記ＡＶ機器をスタンバイ状態から起動状態にするとともに、前記ＡＶ機器から出力されるチャンネル、音量、明るさのうちの少なくとも２つについての複数の設定値を変更する入力手段と
前記入力手段で変更するための設定値を表示する表示手段と、
前記入力手段で変更され、前記表示手段で表示される複数の設定値を保持する保持手段と、
前記保持手段で保持された複数の設定値および前記入力手段で入力された起動指示をコマンドとして送信する送信手段とを備え、
前記起動指示により、前記ＡＶ機器が起動する前に、前記送信手段がコマンドとして複数の設定値を送信することを特徴とするリモコン装置。
【請求項６】
前記送信手段は、複数の設定値と起動指示が一体となったコマンドを送信することを特徴とする請求項５に記載のリモコン装置。
【請求項７】
前記送信手段は、起動指示をコマンドとして送信した後、複数の設定値をコマンドとして送信することを特徴とする請求項５に記載のリモコン装置。
【請求項８】
前記送信手段は、複数の設定値をコマンドとして送信した後、起動指示をコマンドとして送信することを特徴とする請求項５に記載のリモコン装置。
【請求項９】
リモコン装置と、該リモコン装置により遠隔制御するＡＶ機器からなる遠隔制御システムにおけるＡＶ機器であって、
前記リモコン装置からコマンドとして送信される、出力するチャンネル、音量、明るさのうちの少なくとも２つについての複数の設定値およびスタンバイ状態から起動状態にするための起動指示を受信する受信手段と、
前記受信手段で受信される複数の設定値を保持する保持手段とを備え、
前記起動指示により、起動する前に、複数の設定値を受信、保持し、起動した後、保持された複数の設定値に基づいて、チャンネル、音量、明るさのうちの少なくとも２つを出力することを特徴とするＡＶ機器。
【請求項１０】
前記リモコン装置からは、複数の設定値と起動指示が一体となったコマンドが送信されることを特徴とする請求項９に記載のＡＶ機器。
【請求項１１】
前記リモコン装置からは、起動指示がコマンドとして送信された後、複数の設定値がコマンドとして送信されることを特徴とする請求項９に記載のＡＶ機器。
【請求項１２】
前記リモコン装置からは、複数の設定値がコマンドとして送信された後、起動指示がコマンドとして送信されることを特徴とする請求項９に記載のＡＶ機器。
【発明の詳細な説明】
【技術分野】
【０００１】
本発明は，テレビやＤＶＤレコーダなどの音、映像の何れかが再生もしくは表示できるＡＶ（Ａｕｄｉｏ／Ｖｉｄｅｏ）機器と、これを遠隔制御するためのリモコン装置からなる遠隔制御システムに関する。
【背景技術】
【０００２】
従来において、AV機器の遠隔制御では、AV機器の電源を入れた後に、リモコン装置を用いて音量の調整をするようにしていた。そして、AV機器の電源を切って、再度電源を入れた場合には、前回電源を入れた後に調整されていた音量が出力されていた。
【０００３】
しかしながら、このような場合には、前回電源を入れたときには、騒々しい日中で音量を上げていたが、再度電源を入れる際には、静かな早朝や深夜であり、設定されていた音量では、大きすぎて、周囲に迷惑をかけたり、それを気にするといった問題が生じる。
【０００４】
このような問題を認識して、特許文献１では、再度電源を入れる場合に、微音量に調整・出力し、その後、好みの音量に調整するようにしている。
【先行技術文献】
【特許文献】
【０００５】
【特許文献１】特開２０００−２３６４５４号公報
【発明の概要】
【発明が解決しようとする課題】
【０００６】
しかしながら、特許文献１の発明では、再度電源を入れた後、微音量となっている音量を再度調整しなければならず、わずらわしい。
【０００７】
また、音量については考慮しているが、明るさやチャンネル情報については考慮していない。
【０００８】
そこで、本発明では、AV機器の電源を入れ起動状態となる前に、予め、意図した音量、明るさ、チャンネルに調整しておいて、起動状態となった後は既に調整されたものが出力されるようにすることを目的とする。
【課題を解決するための手段】
【０００９】
上記目的を達成するために、本発明は、リモコン装置と、該リモコン装置により遠隔制御するＡＶ機器からなる遠隔制御システムにおいて、前記リモコン装置が、前記ＡＶ機器をスタンバイ状態から起動状態にするとともに、前記ＡＶ機器から出力されるチャンネル、音量、明るさのうちの少なくとも２つについての複数の設定値を変更する入力手段と前記入力手段で変更するための設定値を表示する表示手段と、前記入力手段で変更され、前記表示手段で表示される複数の設定値を保持する保持手段と、前記保持手段で保持された複数の設定値および前記入力手段で入力された起動指示をコマンドとして送信する送信手段とを備えるようにし、前記ＡＶ機器が、前記送信手段でコマンドとして送信された複数の設定値および起動指示を受信する受信手段と、前記受信手段で受信される複数の設定値を保持する保持手段とを備えるようにし、前記起動指示により、前記ＡＶ機器が起動する前に、複数の設定値が受信、保持され、前記ＡＶ機器が起動した後、保持された複数の設定値に基づいて、チャンネル、音量、明るさのうちの少なくとも２つが出力されるようにする。
【００１０】
また、別の本発明は、リモコン装置と、該リモコン装置により遠隔制御するＡＶ機器からなる遠隔制御システムにおけるリモコン装置が、前記ＡＶ機器をスタンバイ状態から起動状態にするとともに、前記ＡＶ機器から出力されるチャンネル、音量、明るさのうちの少なくとも２つについての複数の設定値を変更する入力手段と、記入力手段で変更するための設定値を表示する表示手段と、前記入力手段で変更され、前記表示手段で表示される複数の設定値を保持する保持手段と、前記保持手段で保持された複数の設定値および前記入力手段で入力された起動指示をコマンドとして送信する送信手段とを備えるようにし、前記起動指示により、前記ＡＶ機器が起動する前に、前記送信手段がコマンドとして複数の設定値を送信するようにする。
【００１１】
また、別の本発明は、リモコン装置と、該リモコン装置により遠隔制御するＡＶ機器からなる遠隔制御システムにおけるＡＶ機器が、前記リモコン装置からコマンドとして送信される、出力するチャンネル、音量、明るさのうちの少なくとも２つについての複数の設定値およびスタンバイ状態から起動状態にするための起動指示を受信する受信手段と、前記受信手段で受信される複数の設定値を保持する保持手段とを備えるようにし、前記起動指示により、起動する前に、複数の設定値を受信、保持し、起動した後、保持された複数の設定値に基づいて、チャンネル、音量、明るさのうちの少なくとも２つを出力するようにする。
【発明の効果】
【００１２】
本発明によれば、AV機器の電源を入れ起動状態となる前に、予め、意図した音量、明るさ、チャンネルに調整しておいて、起動状態となった後は既に調整されたものが出力されるようにすることができ、ユーザの利便性、操作性が高まる。
【図面の簡単な説明】
【００１３】
【図１】本発明の実施例１の概要を示す説明図である。
【図２】本発明の実施例１、２における、リモコン装置１００のハードウェア構成を示す説明図である。
【図３】本発明の実施例１、２における、AV再生装置２００のハードウェア構成を示す説明図である。
【図４】本発明の実施例１で、再生を再開するときに送られる拡張電源ONコマンドに設定値情報が含まれる場合における、拡張電源ONコマンドを処理する流れを示すシーケンス図である。
【図５】本発明の実施例１で、再生を再開するときに送られる拡張電源ONコマンドに設定値情報が含まず、別途設定値変更コマンドで設定値の変更を実現する場合における、拡張電源ONコマンドおよび設定値変更コマンドを処理する流れを示すシーケンス図である。
【図６】本発明の実施例における制御コマンドのデータ構成を示す説明図である。
【図７】本発明の実施例における制御コマンドの中で、パラメータ部を持たない制御コマンドのデータ構成を示す説明図である。
【図８】本発明の実施例における制御コマンドのうち、拡張電源ONコマンドで設定値情報を一緒に送付する場合の拡張電源ONコマンドに対応するパラメータ部のデータ構成を示す説明図である。
【図９】本発明の実施例２の概要を示す説明図である。
【図１０】本発明の実施例２における再生を再開する前に設定値を変更した際の処理と、その後再生を再開したときの処理の流れを示すシーケンス図である。
【発明を実施するための形態】
【００１４】
以下、本発明の実施形態について、図面を参照して説明する。
【００１５】
なお、本発明は、以下の実施形態に何ら限定されるものではなく、その要旨を逸脱しない範囲において、種々なる態様で実施しうる。
【実施例１】
【００１６】
図１は、本実施例のリモコン装置とAV再生装置において、リモコン装置の操作によって、スタンバイ状態であるAV再生装置で音や映像の再生が再開されるまでに、AV再生装置の音量、明るさなどの設定値が変更される一例を表す図である。
【００１７】
この図にあるように、AV再生装置２００には、前回の再生していたときの音量値、画面の明るさ、表示ソースなどの設定値がAV再生装置２００のＲＡＭ(Random Access Memory)２０３に保持されている。
【００１８】
また、リモコン装置１００の表示装置１０６に、制御対象のAV再生装置２００に設定が反映される音量値、画面の明るさ、起動時に視聴した音や映像ソースの種別などといったリモコン装置１００で保持している設定値情報を表示している。
【００１９】
ユーザは、AV再生装置２００がまだスタンバイ状態であっても、リモコン装置１００の入力装置１０４を用いて音量値、画面の明るさ、最初に表示する音や映像ソースの種別を変更しておくことができる。
【００２０】
そして、ユーザによる入力装置１０４の操作によって、AV再生装置２００で音や映像の再生が開始されるときには、既にリモコン装置１００で設定されている音量や画面の明るさ、再生する音や映像ソースの種別がAV再生装置２００に送信され、その値にAV再生装置２００のＲＡＭ２０３が保持している設定値を変更して、再生の再開を行う。
【００２１】
次に、図２を用いて、本実施例におけるリモコン装置の１００のハードウェア構成について説明する。
【００２２】
図２中の１０１はＣＰＵ（Central Processing Unit）である。入力装置１０４経由でのユーザによる入力を検出したり、入力に対応するコマンドを生成する処理、無線通信装置１０５を介してAV再生装置２００へ送信するための制御処理など、リモコン装置１００の内部で実行される各種プログラムの実行を行う。１０２はＲＯＭ（Read Only Memory）であり、ユーザによる入力装置１０４経由での入力を検出したり、入力に対応するコマンドを生成する処理、無線通信装置１０５を介してAV再生装置２００へ送信するための制御処理など、リモコン装置１００の内部で実行される各種プログラムや、表示装置１０６に表示する画像や文字などのリソースデータを記憶する。１０３はＲＡＭ（Random Access Memory）であり、ユーザによる入力装置１０４経由での入力を検出したり、入力に対応するコマンドを生成する処理、無線通信装置１０５を介してAV再生装置２００へ送信するための制御処理など、リモコン装置１００の内部で実行される各種プログラムをＲＯＭからロードして実行したり、AV再生装置２００に対して設定する設定値を記憶するのに使用する。１０４は入力装置であり、AV再生装置２００の起動状態を変更したり、表示ソースを変更したり、音量、画面の明るさなどの各種設定値を変更するなどのユーザからの入力操作に使用される。例えば、ボタンやスライドスイッチである。１０５は無線通信装置であり、AV再生装置２００へ制御コマンドを送信する。例えば、リモコン装置１００からAV再生装置２００への単方向通信を行う場合は、赤外線を用いることができ、リモコン装置１００とAV再生装置２００との間で双方向通信を行う場合は、ＩＥＥＥ８０２．１５．４（Institute of Electrical and Electronic Engineers）や、ZigBeeを用いることができる。１０６は表示装置であり、AV再生装置２００へ反映させる設定値の表示等に使用される。例えば、ＬＣＤ（Liquid  Crystal  Display）や電子ペーパーである。
【００２３】
次に、図３を用いて、本実施例におけるAV再生装置２００のハードウェア構成について説明する。
【００２４】
図３中のAV再生装置２００は、テレビを想定しており、以下のような構成になっている。
【００２５】
図３中の２０１はＣＰＵ（Central Processing Unit）である。リモコン装置１００からのユーザ入力に対応し、音量や明るさを変更する変更処理を実行したり、コンテンツを再生するための再生処理を実行したりなど、各種プログラムの実行を行う。２０２はＲＯＭ（Read Only Memory）であり、音量や明るさを変更する変更処理プログラムや、コンテンツを再生するための再生処理プログラムなど、AV再生装置２００の内部で実行される各種プログラムや、表示装置２０６に表示する画像や文字などのリソースデータを記憶する。２０３はＲＡＭ（Random Access Memory）であり、音量や明るさを変更する変更処理プログラムや、コンテンツを再生するための再生処理プログラムなど、AV再生装置２００の内部で実行される各種プログラムをＲＯＭからロードして実行したり、処理結果を一時的に保存するためのワークメモリとして利用したり、AV再生装置２００に対して設定する設定値などを記憶するのに使用する。２０４は入力装置であり、AV再生装置２００における主電源のON/OFF切替えや音量の変更などをリモコン装置１００で入力せずに、直接AV再生装置２００で入力するのに使用される。例えば、電源ボタンや音量変更ボタンなどである。２０５は無線通信装置であり、リモコン装置１００からAV再生装置２００へ送られてきた制御コマンドを受信したり、受信した制御コマンドに対する応答する。例えば、リモコン装置１００からAV再生装置２００への単方向通信を行う場合は、赤外線を用いることができ、リモコン装置１００とAV再生装置２００との間で双方向通信を行う場合は、ＩＥＥＥ８０２．１５．４（Institute of Electrical and Electronic Engineers）や、ZigBeeを用いることができる。２０６は表示装置であり、再生しているコンテンツの表示や、AV再生装置２００の各種設定画面の表示などに使用される。例えば、ＬＣＤ（Liquid  Crystal  Display）やＰＤＰ(Plasma Display Panel)である。
【００２６】
２０７はスピーカーである。番組の音声や、再生コンテンツの音声、操作中に鳴音する操作音など、様々な音を再生するデバイスである。
【００２７】
２０８はＩ／Ｏ（Input Output）である。AV再生装置２００の外部入力および外部出力を担うデバイスである。
【００２８】
また、AV再生装置200が、ＨＤＤレコーダ（Hard Disk Drive）やＤＶＤレコーダのような、外部のデバイスを用いて再生する機器では、表示装置２０６やスピーカー２０７を備えず、映像・音声がＩ／Ｏ２０８の外部出力を介して外部のデバイスに出力され、再生される。
【００２９】
次に、図４、６−８を用いて、本実施例におけるリモコン装置１００によりAV再生装置２００の再生を再開する処理である拡張電源ＯＮコマンド制御処理３００について説明する。
【００３０】
まず、ユーザがリモコン装置１００を操作し、リモコン装置１００の表示装置１０６に表示されている表示ソース種別、音量、画面の明るさといった各種設定値を自分の好みの設定値に変更しておく。この際、ユーザがリモコン装置１００で設定値を変更する手段としては、音量UPボタン・音量DOWNボタンといった各種設定値を変更する専用のボタンによる操作でも良いし、スライドスイッチのようなものでスイッチを切り替えることにより、予め決められた設定値に一度に変更されるインターフェイスでも構わない。さらに、リモコン装置１００で設定値を変更できる値の上限値や下限値、もしくは、選択可能な設定値のリストは、リモコン装置１００のＲＯＭ１０２に既に保存されており、決められた範囲で選択できるようにしてもよいし、AV再生装置２００にリモコン装置１００を登録する際に、AV再生装置２００より上限値/下限値や選択可能な設定値のリストを、無線通信装置１０５を介して取得できるようにしてもよい。また、表示ソースの種別のように、AV再生装置２００の状態(アンテナの接続状況や、外部機器との接続状況など)により変化する設定値に関しては、AV再生装置２００の状態が変わったタイミングでリモコン装置１００の無線通信装置１０５を介して、リモコン装置１００に通知され、リモコン装置１００のＲＡＭ１０３に保存しておき、設定値の選択できる範囲をＲＡＭ１０３に保存されたリストより選択できる処理でもかまわない。そして、好みの設定値に変更した後に、電源ボタンを押下すると、まずリモコン装置１００から拡張電源ＯＮコマンド４００がAV再生装置２００に対して送信される。（ステップＳ３０１）リモコン装置１００より送信される制御コマンド４００は例えば、図６のように、メーカーコード部４０１、コマンドID部４０２、パラメータ部４０３から構成される。メーカーコード部４０１は、メーカーを一意に識別する値が格納される部分であり、格納されるデータの大きさは、本実施例では１バイトの固定サイズとする。コマンドＩＤ部４０２は、リモコン装置１００からAV再生装置２００を遠隔制御するための制御種別を表す値が格納される部分であり、格納されるデータの大きさは、本実施例では１バイトの固定サイズとする。パラメータ部４０３は、コマンドＩＤと一緒に送付するデータを格納する部分であり、格納されるデータの大きさは、コマンドＩＤ部４０２に設定されるコマンドＩＤ毎に異なり、コマンドＩＤによっては、図６のように５バイトの大きさのパラメータを持つものもあれば、図７のように全くパラメータを持たないため、０バイトの大きさになるものもある。例えば、拡張電源ＯＮコマンドのパラメータ部４０３は、図８のように、先頭１バイトにパラメータ数を格納するパラメータ数部４０３ａが格納され、その後、パラメータの種別を一意に表すパラメータ種別部４０３ｂと、実際に設定するパラメータの値を表すパラメータ値部４０３ｃの２つから構成される組が、パラメータ数部４０３ａに規定された組数だけ格納されている。例えば、「音量」が「１５」、「表示ソース」が「デジタル１ｃｈ」、「明るさ」が「３」という３種類の設定値を格納する拡張電源ＯＮコマンドのパラメータ部は、図８のように、「0x03 0x11 0x0F 0x12 0x11 0x13 0x03」というデータが格納されることになる。
【００３１】
次に、AV再生装置２００では、リモコン装置１００から送信されたコマンドを定期的に監視し、データがあれば受信する。（ステップＳ３０２）そして、受信したコマンドを解析し、コマンドＩＤが何であるか判別し、拡張電源ＯＮコマンドであれば、ステップＳ３０４へ進み、そうでなければステップＳ３０２へ戻る。（ステップＳ３０３）もし、図６のような制御コマンドを受信した場合、先頭から２バイト目のコマンドＩＤ部４０２を読み出し、その値が「0x31」であるかどうかで拡張電源ＯＮコマンドであるかどうかを判定する。
【００３２】
そして、コマンドＩＤが拡張電源ＯＮコマンドの場合、映像や音の再生を再開させるための初期化処理を実行する。（ステップＳ３０４）そして、拡張電源ＯＮコマンド内のパラメータから再生ソースの種別、音量、明るさといった設定値を抽出し、実際の設定値としてＲＡＭ２０３に反映させる。（ステップＳ３０５）そして、設定値として反映された後、映像や音の再生を再開する。（ステップＳ３０６）
以上の流れで、再生を再開させる前にユーザが事前に設定した設定値で設定した上で、再生を再開させる処理を実現する。
【００３３】
また、先の説明では１つのコマンドで再生の準備と各種設定を行う方法について説明したが、再生の準備を要求するコマンドと、各種設定を行うコマンドの複数のコマンドを連続して送信して実現する方法でもかまわない。
【００３４】
その場合のリモコン装置１００によりAV再生装置２００の再生を再開する処理である拡張電源ＯＮコマンド制御処理３００ａについて図５、７用いて説明する。
【００３５】
まず、ユーザがリモコン装置１００を操作し、リモコン装置１００の表示装置１０６に表示されている表示ソース種別、音量、画面の明るさといった各種設定値を自分の好みの設定値に変更しておく。そして、好みの設定値に変更した後に、電源ボタンを押下すると、まずリモコン装置１００から拡張電源ＯＮコマンド４００がAV再生装置２００に対して送信される。（ステップＳ３０１ａ）本ケースにおける拡張電源ＯＮコマンドは、設定値情報を持たずに、図７のようなメーカーコード部４０１と、コードID部４０２の２つからから構成される。そして、リモコン装置１００からは、拡張電源ＯＮコマンドの後、設定値変更コマンドや設定値変更完了コマンドをAV再生装置２００に対して送信する。（ステップＳ３０２ａ）
次に、AV再生装置２００では、リモコン装置１００から送信されたコマンドを定期的に監視し、データがあれば受信する。（ステップＳ３０３ａ）そして、受信したコマンドを解析し、コマンドＩＤが何であるか判別し、拡張電源ＯＮコマンドであれば、ステップＳ３０５ａへ進み、そうでなければステップＳ３０３ａへ戻る。（ステップＳ３０４ａ）もし、図７のような制御コマンドを受信した場合、先頭から２バイト目のコマンドＩＤ部４０２を読み出し、その値が「0x31」であるかどうかで拡張電源ＯＮコマンドであるかどうかを判定する。
【００３６】
そして、コマンドＩＤが拡張電源ＯＮコマンドの場合、映像や音の再生を再開させるための初期化処理を実行し、変更待ち状態へと移行する。（ステップＳ３０５ａ）そして、リモコン装置１００から送信されたコマンドを定期的に監視し、データがあれば受信する。（ステップＳ３０６ａ）そして、受信したコマンドを解析し、コマンドＩＤ部４０２を読み出すことによって、受信したコマンドの種別を特定する。もしコマンドＩＤが設定値変更コマンドの場合は、ステップＳ３０８ａへ進み、もしコマンドＩＤが設定値変更完了コマンドの場合は、ステップＳ３０９ａへ進み、それ以外であればステップＳ３０６ａへ戻る。（ステップＳ３０７ａ）ステップＳ３０７ａで設定値変更コマンドと判定された場合は、コマンド内のパラメータを読み取り、設定値としてＲＡＭ２０３に反映させる。（ステップＳ３０８ａ）
ステップＳ３０７ａで設定値変更完了コマンドと判定された場合は、変更待ち状態から起動中状態へ遷移させ、再生を再開する。（ステップＳ３０９ａ）
以上の流れで、再生を再開させる前にユーザが事前に設定した設定値で設定した上で、再生を再開させる処理を実現する。
【実施例２】
【００３７】
図９は、本実施例のリモコン装置とAV再生装置において、AV再生装置がスタンバイ状態であっても、リモコン装置の操作によって、AV再生装置の設定値が即時に変更され、音や映像の再生が再開される時には、スタンバイ状態で変更された設定値が反映されて再生が再開される一例を表す図である。まずは、全体の流れについて説明する。
【００３８】
図９にあるように、スタンバイ中のAV再生装置２００には、前回の再生していたときの音量値、画面の明るさ、起動時に視聴した音や映像ソースの種別を表す再生ソース種別の設定値がAV再生装置２００のRAM２０３に保持されている。
【００３９】
このまま、AV再生装置２００がスタンバイ状態から復帰すると、RAM２０３で保持されている音量値、画面の明るさ、再生ソース種別の設定値に従って再生が再開されることとなる。
【００４０】
また、リモコン装置１００のRAM１０２には、制御対象のAV再生装置２００に反映される音量値、画面の明るさ、起動時に視聴する音や映像ソースの種別を表す再生ソース種別が保持されており、リモコン装置１００の具備する表示装置１０６に、RAM１０２で保持している設定値が表示されている。
【００４１】
リモコン装置１００の表示装置１０６に表示されている設定値情報から音量や画面の明るさ、再生ソース種別をユーザが変更したい場合、リモコン装置１００の入力装置１０４を用いて、設定したい設定値にあわせると、リモコン装置１００の無線通信装置１０５から制御対象のAV再生装置２００に対して制御コマンドが送信され、スタンバイ状態のAV再生装置２００であっても、即座に、リモコン装置１００で設定した設定値が、AV再生装置２００のRAM２０３に反映され、そのあと電源をONすると、リモコン装置１００で設定した設定値でAV再生装置２００は再生を再開する。
【００４２】
そして、ユーザがリモコン装置１００の入力装置１０４を用いたり、直接AV再生装置２００の入力装置２０４を用いて、再生を再開させると、AV再生装置２００は、スタンバイ状態で変更された音量、画面の明るさ、再生ソース種別に変更して、再生を再開する。
【００４３】
以上が、全体の流れとなる。
【００４４】
リモコン装置１００とAV再生装置２００のハードウェア構成は、実施例１で説明したのと同じ構成でよい。
【００４５】
次に、リモコン装置１００とAV再生装置２００との間で実行される処理の流れを、図１０を用いて説明する。
【００４６】
ユーザがリモコン装置１００の入力装置１０４を用いて、音量を変更すると、リモコン装置１００から設定値変更コマンドが送信される。（ステップＳ５０１）
リモコン装置１００から送信された設定値変更コマンドをAV再生装置２００が受信すると、受信したコマンドのコマンドIDを解析する。（ステップＳ５０２、５０３）
コマンドIDが設定値変更コマンドの場合、AV再生装置２００がスタンバイ状態であっても、設定値変更コマンドを受け入れ、AV再生装置２００のRAM２０３に設定値変更コマンドのパラメータ内の変更後の設定値（音量が１５）を保存しておく。（ステップＳ５０４）
そして、その後、リモコン装置１００から送信された電源ONコマンドをAV再生装置２００が受信すると、再生を再開するための初期化処理を行い、AV再生装置２００のRAM２０３に保存される設定値に、実際の設定（再生ソースが「デジタル1CH」、音量が「１５」、明るさが「３」）を反映させて、再生を再開させる。（ステップＳ５０５−５１０）
以上のような流れで、電源ON時から目的の設定値を反映させることができる。
【００４７】
このように、この実施例１や実施例２のリモコン装置１００とAV再生装置２００によれば、リモコン装置１００の操作により、AV再生装置２００が再生を再開する前に、ユーザの好みの設定値に変更して再生を再開することができるので、周囲への迷惑を不安に思いながらAV再生装置を操作する必要がなくなり、ユーザの利便性が高まる。
【００４８】
また、リモコン装置１００の設定値を変更する際に、AV再生装置から選択できる設定値の情報を取得することにより、リモコン装置１００で選択できる範囲を狭めることで、何度もボタンを押下することなく、目的の設定値に変更することができるようになり、ユーザの利便性が向上する。
【符号の説明】
【００４９】
１００…リモコン装置
２００…ＡＶ再生装置
３００…拡張電源ＯＮコマンド制御処理
４００…制御コマンド
【図１】
2011061564.tif 000003
【図２】
2011061564.tif 000004
【図３】
2011061564.tif 000005
【図４】
2011061564.tif 000006
【図５】
2011061564.tif 000007
【図６】
2011061564.tif 000008
【図７】
2011061564.tif 000009
【図８】
2011061564.tif 000010
【図９】
2011061564.tif 000011
【図１０】
2011061564.tif 000012